(57)【特許請求の範囲】
【請求項１】
空気を流動させて多様な異物を捕集し、その捕集した多様な異物と共に空気を吸入する第１空気吸入流路と、一次的に異物を除去した空気を排出する第１空気排出流路とを有し、集塵筒の役割を果たす１次サイクロンボディ兼集塵筒と；
前記第１空気排出流路と連通し、接線方向に前記１次サイクロンボディ兼集塵筒から空気を吸入する第２空気吸入流路と、前記第１空気吸入流路の近所に配置して内部に延長され、ファンを設けた空間と連通する第２空気排出流路と有し、前記１次サイクロンボディ兼集塵筒の上部に配置されて、前記１次サイクロンボディ兼集塵筒内の空気の流動方向と直交する空気の流動方向を有する２次サイクロンボディと；
前記第２空気吸入流路の反対側に開口部を有する第２集塵筒と；
からなり、
前記１次サイクロンボディ兼集塵筒の内部に、その上、下空間を区画すると同時にその縁部の一部に凹み部を形成することにより、集塵筒の内壁面との間に所定の間隙を有するように構成された区画板を設け、
さらに、区画板の中央部両端にヒンジを形成させ、集塵筒の内壁面には前記区画板の各ヒンジが収容されるように収容部を形成して、区画板が集塵筒内で回動可能であるようにすることを特徴とする多重サイクロン集塵装置。
【請求項２】
前記第２空気排出流路を通して排出される空気の気流形成を誘導する拡管部を備え、前記拡管部は、前記２次サイクロンボディ内側の前記第２空気排出流路と反対側面から前記第２空気排出流路側方向に突出するように設けられ、前記第２空気排出流路に近づくほど次第に拡張されていることを特徴とする請求項１記載の多重サイクロン集塵装置。
【請求項３】
第２集塵筒は１次サイクロンボディ兼集塵筒の側面に一体化してなることを特徴とする請求項１記載の多重サイクロン集塵装置。
【請求項４】
区画板はその中央で分割され、
この分割した区画板の互いに向かい合う面の両端にヒンジを設けると共に、このヒンジの両先端の位置する側に対応する集塵筒の内壁面には前記ヒンジを収容できるように収容部を形成し、
前記区画板によって上、下空間が区画される集塵筒の下側空間には、前記区画板の下向き回動を防止できるように支持リブを形成したことを特徴とする請求項１記載の多重サイクロン集塵装置。
【請求項５】
第１空気排出流路の下端に別の動き防止突起を区画板の上面にまで延長するように形成したことを特徴とする請求項１記載の多重サイクロン集塵装置。
【請求項６】
室内から異物を含んだ空気を吸入した後、サイクロン原理を用いてこの吸入した空気内の異物を前記空気から分離すると共に、この分離した異物を集塵筒内に集塵するサイクロン集塵装置の集塵筒であって、
前記集塵筒の内部に集塵筒の上、下空間を区画すると共に、その縁部の一部は内側に凹んだ凹み部を形成することで、集塵筒の内壁面とは所定の間隙を有するように構成された区画板を設け、
さらに、区画板の中央部両端にヒンジを設けると共に、このヒンジの両先端が位置する側に対応する集塵筒の内壁面に前記ヒンジを収容できるように収容部を形成することを特徴とするサイクロン集塵装置の集塵筒。
【請求項７】
前記間隙は前記区画板の外周の一部の切欠部により形成されることを特徴とする請求項６記載のサイクロン集塵装置の集塵筒。
【請求項８】
前記集塵筒の下側の空間には前記区画板の下向き回動を防止できる支持リブを形成したことを特徴とする請求項６記載のサイクロン集塵装置の集塵筒。
【請求項９】
前記区画板は中央線に沿って分割された２つの部分とこれらの対向側に挟まれたヒンジとを含むことを特徴とする請求項６記載のサイクロン集塵装置の集塵筒。
【請求項１０】
区画板の上側の集塵筒の内側の上端にその一端が前記集塵筒の上端を閉鎖する蓋部に延び、他端は分割された区画板の上面に接触する動き防止突起を備えてなることを特徴とする請求項６記載のサイクロン集塵装置の集塵筒。
【発明の詳細な説明】
【０００１】
【発明の属する技術分野】
本発明はサイクロンの原理を用いて塵などの各種の異物を集塵できるサイクロン集塵装置に関し、より詳細には、集塵性能を向上させるために前記のようなサイクロン作動が多数回繰り返される多重サイクロン集塵装置の構造に関する。
【０００２】
【従来の技術】
一般にサイクロン集塵装置は、遠心力を用いて、空気と共に回転する異物の空気は外部に排出し、異物だけを空気から分離して収集するものであって、家庭用としては主に真空掃除機などに多く利用されている。
前記のようなサイクロン集塵装置としては種々の形態がある。１次サイクロン集塵装置と２次サイクロン集塵装置とを連結して一つのサイクロン集塵装置とした多重サイクロン集塵装置がその一つである。異物の集塵が多重に行われるので、一つのみから構成された単一サイクロン集塵装置より優れた集塵性能を奏する。
【０００３】
すなわち、１次サイクロン集塵装置で比較的大きい異物の集塵を行い、２次サイクロン集塵装置で１次サイクロン集塵装置で集塵できなかった微細な異物の集塵を行うように構成している。
【０００４】
図１及び図２は上述した多重サイクロンの一形態を示し、以下、図を参照してその具体的な構造をより詳細に説明する。
【０００５】
前記のような多重サイクロン集塵装置は、１次サイクロン集塵部１と、１次サイクロン集塵部の内側に配置した２次サイクロン集塵部２と、各サイクロン集塵部を通して空気を吸入させるファン３と、このファン３を駆動させるファンモータ４とから構成されている。
【０００６】
１次サイクロン集塵部１は、集塵筒の役割を果たす外部ボディ１ａと、その外部ボディの上部の一側面に備えられ室内の空気を流入させる第１空気吸入流路１ｂと、外部のボディ内で流動する空気を排出させるように案内する第１空気排出流路１ｃとから構成されている。
【０００７】
そして、２次サイクロン集塵部２は、１次サイクロン集塵部の外部ボディ１ａの内部と所定の間隔で離隔した状態で配置する内部ボディ２ａと、内部ボディ内に空気を吸入させる第２空気吸入流路２ｂと、内部ボディ内から流動する空気を排出させるように案内する第２空気排出流路２ｃとから構成されている。
第２空気吸入流路２ｂは、１次サイクロン集塵部１の第１空気排出流路１ｃに連結され、１次サイクロン集塵部１から排出された空気が流入されるように案内を行い、第２空気排出流路２ｃはファン３及びファンモータ４を配置した空間に連結される。
【０００８】
また、内部ボディ２ａはその底部へ行くほど次第に縮小するコーン状を成しており、この内部ボディ２ａの下部側には、空気から分離された微塵を集めて収容する集塵部２ｄが配置されている。
集塵部２ｄは別途の区画板２ｅによって１次サイクロン集塵部１の外部ボディ１ａ内の底部と相互に区画される。従って、ファンモータ４の駆動力によってファン３が回転して吸入力を発生させると、この吸入力は第２空気排出流路２ｃ、第２空気吸入流路２ｂ、第１空気排出流路１ｃなどを順次経て第１空気吸入流路１ｂへ伝達される。
【０００９】
この様にして外部ボディ１ａ内に吸入された空気及び塵などは、外部ボディ１ａの内壁と内部ボディ２ａの外壁に沿って流動する過程において、空気は第１空気排出流路１ｃを通して吸入力を伝達されて内部ボディ２ａ内に吸入され、塵はその自重によって外部ボディ１ａ内の底部に集塵される。
微塵などは空気の流動に含まれた状態で第１空気排出流路１ｃを通して内部ボディ２ａ内に吸入され、この吸入した微塵と空気は内部ボディ２ａ内を旋回する過程で相互間の遠心力の差によって互いに分離される。
【００１０】
従って、前記のようにして空気から分離された塵などはその自重によって下向き移動し、集塵部２ｄ内に集塵され、空気は内部ボディ２ａの中央部分で発生する上昇気流に沿って上昇して第２空気排出流路２ｃを通してファン３及びファンモータ４を配置した空間に排出される。
【００１１】
【発明が解決しようとする課題】
しかしながら、上述したような作用を行って集塵作用を行うサイクロン集塵装置は、その全体的な構造上後述したような問題点を抱えている。
【００１２】
第一に、１次サイクロン集塵部１の許容集塵容量が比較的に少ないという問題があった。
すなわち、従来の上述したような形態のサイクロン集塵装置は、１次サイクロン集塵部１の内部に２次サイクロン集塵部２を配置したので、比較的大きな塵を収容する１次サイクロン集塵部１の許容集塵容量が少なくならざるを得なかった。
そのため、ユーザは頻繁に異物を取り除かなければならないという不具合があった。
【００１３】
第二に、２次サイクロン集塵部２の許容集塵容量に対して多くの微塵が続けて流入する場合、許容容量を超えた超過分の微塵は２次サイクロン集塵部２を通過してファンモータ４へ流入するというような問題を発生した。
これは、比較的許容集塵空間の広い１次サイクロン集塵部１では大きな塵だけを集塵できるように構成されており、微塵などは殆ど２次サイクロン集塵部２に排出されるように構成されているからである。
すなわち、１次サイクロン集塵部１で最大限多量の各種の微細な異物も共に集塵すべきにも拘わらず、それが十分に行われなかったからである。
このため、ファンモータが頻繁に故障したり、頻繁に集塵筒を掃除しなければならないという不具合があった。
【００１４】
第三に、集塵部２ｄに収集された微塵の除去の際、内部ボディ２ａを外部ボディ１ａから取り出し、内部ボディ２ａのための開口部を通して塵を除去するので、区画板２ｅが微塵の除去を円滑に行うことを妨げる。これにより、排出されずに集塵空間内に残存した異物の腐敗によって悪臭が発生するという問題もあった。
【００１５】
そこで、本発明の目的は、１次サイクロン集塵部で最大限多量の異物のみならず微塵までを集塵できるようにしてファンモータの損傷を予め防止することにある。
また、集塵した各種の異物の除去を円滑に行うことができるようにすることにある。
【００１６】
【課題を解決するための手段】
上記目的を達成するための本発明の一態様によれば、空気の流動によって多様な異物を捕集し、その捕集した多様な異物と共に空気を吸入する第１空気吸入流路と、一次的に異物を除去した空気を排出する第１空気排出流路とを有する１次サイクロンボディ及び集塵筒と；１次サイクロンボディ及び集塵筒内の空気の流動方向に対して直交する方向に空気を流すように１次サイクロンボディ及び集塵筒の上部に配置し、接線方向に１次サイクロンボディ及び集塵筒から空気を吸入するように第１空気排出流路と連通する第２空気吸入流路と、第１空気吸入流路の付近で内部に延び出し、ファンを設けた空間と連通する第２空気排出流路とを有する２次サイクロンボディと；第２空気吸入流路の反対側に開口部を有する第２集塵筒と；からなる多重サイクロン集塵装置が提供される。
【００１７】
上記目的を達成するための本発明の他の態様によれば、室内から異物を含んだ空気を吸入した後、サイクロン原理を用いてこの吸入した空気内の異物を空気から分離すると共に、この分離した異物を集塵筒内に集塵するサイクロン集塵装置の集塵筒であって、集塵筒の内部にこの集塵筒の上、下空間を区画すると共に、その縁部の一部は内側に凹み部を形成することで、集塵筒の内壁面とは所定の間隙を有するように構成された区画板を回動可能に設けたことを特徴とするサイクロン集塵装置の集塵筒が提供される。
【００１８】
【発明の実施の形態】
以下、本発明の一実施形態を図３及び図４を参照してより詳細に説明する。
【００１９】
図３は本発明の一実施形態による多重サイクロン集塵装置の概略的な構造を示す要部の分解斜視図であり、図４は図３の多重サイクロン集塵装置が結合された状態の構造を概略的に示す断面図である。
すなわち、本発明の一実施形態は１次サイクロン集塵部の集塵筒の集塵容量を最大化させた多重サイクロン集塵装置を提示する。
【００２０】
このための本発明の一実施形態による構造は、１次サイクロン集塵部１０の上側に２次サイクロン集塵部２０を設置しする。その２次サイクロン集塵部２０の空気の流動方向は１次サイクロン集塵部１０の空気の流動方向に対して直交した方向になるようにする。空気の流動方向とは旋回する空気の中心の向きである。２次サイクロン集塵部２０の第２集塵筒２３は１次サイクロン集塵部１０の集塵筒１１の側面に一体化している。これが本実施形態の特徴である。
【００２１】
１次サイクロン集塵部１０は、集塵筒１１の上端部を貫通して連結される第１空気吸入流路１２と、この集塵筒１１の上端の中央に配置して、空気の排出を行う第１空気排出流路１３とから構成されている。
この集塵筒１１は上部が開放されており、この開放した上部は第１空気排出流路１３が一体化された蓋部１４によって閉鎖可能であるように構成している。
【００２２】
第１空気排出流路１３はその側面に沿って多数の通孔１３ａが形成された穿孔管から形成され、集塵筒１１内に吸入された各種の異物の中、通孔の大きさより大きいものの排出を防止するように構成されている。
【００２３】
そして、２次サイクロン集塵部２０を構成する筒状の２次サイクロンボディ２１の一端側の側面には、１次サイクロン集塵部１０の第１空気排出流路１３と連通して連結される第２空気吸入流路２５が形成されており、この第２空気吸入流路２５の配置した側の反対側の２次サイクロンボディ２１の他端側の側面には第２集塵筒２３に排出された各種の異物を導く異物用の排出流路２４が形成されている。
【００２４】
また、第２空気吸入流路２５が連結された側の２次サイクロンボディ２１の端面には、その中央側を貫通して内部にまで延び出した第２空気排出流路２２が設けられている。
この第２空気排出流路２２の他端はファン３及びファンモータ４が備えられた空間と連結されている。したがって、ファン３の回転に伴う吸入力を直接に伝達される。
【００２５】
そして、２次サイクロンボディ２１の内側の、第２空気排出流路２２を配置した端部と反対側の端面の中央部分に、第２空気排出流路の配置した側へ行くほど次第に拡張する拡管部２６を突出して形成する。
この拡管部２６は２次サイクロンボディ２１の内部に流入され、サイクロン運動を行う空気及び各種の微細な異物のうち、第２空気排出流路２２を通して排出される空気の気流形成を誘導すると共に、この空気の気流が異物の排出流路２４が形成された位置にまでは及ばないようにすることで、異物排出流路２４を通して排出される微塵などの異物が排出する空気に混入しないようにする。
【００２６】
この様な構造の本発明による一実施形態は、１次サイクロン集塵部１０の集塵空間、すなわち、集塵筒１１の内部の集塵許容空間を最大にすることで、比較的大きい異物を円滑に集塵するようにする。
すなわち、本発明は多重サイクロン集塵装置の構造を従来のものと異なるようにして、従来の多重サイクロン集塵装置のように、１次サイクロン集塵部１の内側に２次サイクロン集塵部２を位置させると共に、集塵部１，２の間の空間を互いに区画することにより、集塵空間が縮小していた問題点を解決することができる。
【００２７】
一方、図５〜図７は本発明の他の形態による構造を示している。
本発明による他の実施形態では、集塵筒１１の内部にこの集塵筒１１の上、下部空間を相互に区画する区画板４００を設置する。この区画板４００の周縁の一部に内側に凹んだ凹部を形成することにより、集塵筒１１の内壁面と所定の間隙ｈを有するように構成し、区画板４００により区画された状態として、しかも集塵筒１１内の下部側の空間に集塵する微塵を円滑に除去できるように構成したものを提示している。
この際、微塵を円滑に除去できるようにするために、区画板４００を集塵筒１１の内部で回動可能であるように設置する。
【００２８】
図示のように、集塵筒１１内の集塵した異物の排除のために集塵筒１１を覆すと、区画板４００が回動して集塵筒１１の上、下部の空間を互い完全に開放した状態にして、異物の排出時に各構成部分に異物が引っ掛かることを最小になるように構成させている。
【００２９】
このために図７の区画板４００はその中央で切断されて、分割されている。この分割した区画板４００の切断された箇所のそれぞれの両端にヒンジ４１０を設置すると共に、それらのヒンジ４１０の両先端に対応する集塵筒１１の内壁面にはヒンジを収容できる収容部１１１を形成する。
そして、区画板４００によって上、下空間が区画される集塵筒１１の下側の空間には、区画板の下向き回動を防止できるように支持リブ１１２を形成する。
【００３０】
図８及び図９は、上述したように、区画板が回動可能に設けられた集塵筒を本発明の一実施形態に適用した状態を示している。
この例では第１空気排出流路１３の下端に別途の動き防止突起１５０を更に形成する。この動き防止突起１５０の底部を区画板４００の上面に至るように延ばすことで、サイクロン集塵装置の動作時に区画板４００の動きを防止する。
【００３１】
すなわち、サイクロン集塵装置の動作時に区画板４００により区画された１次サイクロン集塵部１０の集塵筒１１の下部空間に集塵された各種の異物は上昇気流に乗って上昇するので、もし、区画板４００が上向き回動すると、集塵した塵が飛ぶことがあるので、これが未然に防止できるように区画板の上向き回動を阻止している。
そして、かかる動き防止突起１５０は全体的に十字形に形成することで、この動き防止突起１５０の周りの回転気流を低減できるようにすることがより好ましい。
【００３２】
以下、上記のように構成されるサイクロン集塵装置の動作過程をより具体的に説明する。
【００３３】
まず、ファン３が回転すると、室内の各種の異物などが吸入され、１次サイクロン集塵部１０の第１空気吸入流路１２へ流入される。
このように流入された各種の異物は、その流入する力及び第１空気排出流路１３を通して伝達される吸入力によって１次サイクロン集塵部の集塵筒１１内でサイクロン運動を行いながら空気と各種の異物との１次的な分離が行われる。
【００３４】
このような過程で所定の重量を有する微塵などは、１次サイクロン集塵部の集塵筒１１の内部に装着された各区画板４００と集塵筒１１との内壁面の間に形成された間隙４２０を通して集塵筒の下部の空間に落ちる。この間隙４２０は区画板４００の周辺の所定の部位をその内側に凹ませて形成することができる。
【００３５】
また、集塵筒１１の下部空間は上部空間と区画された状態であるので、集塵筒１１の上部空間で発生する回転気流が区画板４００によって下部空間にまで伝達されることが防止される。これにより、下部空間に集塵された微塵の再排出が防止可能である。
そして、上記した作用によって集塵筒１１内に集塵される微塵の量が最大化され得ることから、２次サイクロン集塵部２０に流出される微塵は極に少量となる。
【００３６】
第１空気排出流路１３を通して２次サイクロン集塵部２０に排出される空気と微塵は２次サイクロン集塵部の第２空気吸入流路２５を通して吸入され、２次サイクロンボディ２１内に流入されてサイクロン運動を行う。
これは、第２空気吸入流路２５が２次サイクロンボディ２１の側面に沿って延びる状態で連結されているからである。
これにより、第２空気排出流路２２を通して伝達される吸入力によって第２空気吸入流路２５を通過して、２次サイクロンボディ２１内に流入される空気及び微塵はサイクロン運動を行い、互いに分離される。
【００３７】
そして、このように空気から分離された微塵は２次サイクロンボディ２１の内壁面に沿って流動して、異物の排出流路を通して第２集塵筒２３に排出される。微塵が分離された空気は２次サイクロンボディ２１内に形成された拡管部２６に当たって戻り、第２空気排出流路２２を通してファン３及びファンモータ４の配置した側空間に排出される。
【００３８】
前述した過程を伴う掃除を繰り返して行うと各集塵筒１１内に各種の異物がいっぱいになる。そこでこれを排出しなければならない。このような場合、ユーザは１次サイクロン集塵部の集塵筒１１をサイクロン集塵装置から分離し、この分離された集塵筒１１の上端を閉鎖していた蓋部１４を除去する。
【００３９】
このとき、蓋部１４には集塵筒１１内の分割された各区画板４００を上から支持していた動き防止突起１５０が延びていたが、この蓋部１４０の除去によって各区画板４００から動き防止突起１５０が離れることにより、各区画板４００は自由になる。
【００４０】
蓋部１４を外して、ユーザが集塵筒１１内に集塵した塵の排出のために集塵筒１１をひっくり返すと、前記したように自由な状態の各区画板４００は、これに一体化されたヒンジ４１０を軸にして集塵筒１１内の収容部１１１に支持された状態で回動しながら、集塵筒１１内の下部の空間を完全に開放させることができる。従って、その内部に集塵された各種の異物の排除が円滑となる。
【００４１】
図１０〜図１３は上述したような本発明による他の実施形態を示している。
すなわち、この実施形態では、本発明による先の他の実施形態とは異なって、区画板５００を分割せずに一枚のまま集塵筒１１の内部に回転可能に設置したことをその特徴としている。
区画板の中央部の直径方向両端にヒンジ５１０を一対形成し、これに対応する集塵筒１１の内壁面にヒンジ５１０を収容するように収容部１１１を一対形成する。
【００４２】
そして、区画板５００は全体的には円形となるように形成するが、ヒンジ５１０が形成された中央部分を基準に両側の大きさを互いに異なるように形成して、より小さい側の側面と集塵筒１１の内壁面との間に微塵を流入させることができるように所定の間隙５２０を形成する。
また、区画板５００の比較的に大きく形成した側の集塵筒１１の下部の空間の底には支持リブ１１２を設置して、区画板の下向き移動を防止できるようにする。
【００４３】
集塵筒１１の蓋部１４に一体化された第１空気排出流路１３の底部には、上述した第１実施形態のように動き防止突起１５０を設けることで、集塵筒１１を蓋部１４で閉鎖した時には区画板５００の動きを防止できるようにする。
【００４４】
かかる構成による各種の異物の集塵過程は、上述した実施形態と同様であるのでその説明を省略し、集塵筒内に集塵した各種の異物の排出過程についてより具体的に説明する。
【００４５】
まず、１次集塵筒１１をサイクロン集塵装置から分離し、この分離された集塵層１１の上端を閉鎖していた蓋部１４を除去する。
このとき、蓋部１４には集塵筒１１内で区画板５００を上から支持していた動き防止突起１５０が第１空気排出流路１３に延び出して形成されているので、この蓋部１４の除去によって区画板５００から動き防止突起１５０が離脱して、区画板５００は自由になる。
【００４６】
かかる状態でユーザが１次サイクロン集塵部の集塵筒１１内に集塵した塵の排出のために集塵筒をひっくり返すと、自由な状態の区画板５００はこれに一体化されたヒンジ５１０を軸にして集塵筒１１内の収容部１１１に支持された状態で回動する。
区画板５００はヒンジ５１０を中心に両側の大きさが互いに異なるように形成されているので、その重さの中心は比較的に大きい方に移っており、その大きい側が図１３に示すように下になり、その反対側は上にる。
これにより、集塵筒１１内の下部の空間は完全に開放した状態となり、内部に集塵した各種の異物の円滑な排除が可能となる。
【００４７】
本発明は１次集塵筒のみに回転可能な区画板を設けることに限定されるものではない。
すなわち、２次サイクロン集塵部を構成する第２集塵筒内にもそれを設置することができる。
【００４８】
【発明の効果】
以上説明したように、本発明によれば、サイクロン集塵装置における集塵筒の構造を改善することで、１次サイクロン集塵部の許容集塵容量を最大限大きくすることができる効果がある。
すなわち、２次サイクロン集塵部を１次サイクロン集塵部の内側に位置させず、その上側に別途に設置することで、１次サイクロン集塵部の集塵許容容量を最大限に拡張できる。
【００４９】
そして、容量の増加により本発明の集塵筒の構造によって１次サイクロン集塵部で最大限多量の微塵の集塵が行われるので、２次サイクロン集塵部に流出される微塵の量を低減させることができる。
これにより、比較的に集塵容量の少ない２次サイクロン集塵部でも十分に微塵の集塵が行われ、ファンモータを配置した空間側に排出される微塵の量を最大限に低減させることができる。
【００５０】
また、集塵筒内に集塵された各種の異物の除去時に、区画板によって下部の空間に各種の異物が引っ掛かることなく、排出が円滑に行われるような効果を有する。
これは、区画板を回動可能に装着したためで、たとえ、掃除時には区画板によって集塵筒の上部及び下部空間がそれぞれ区画されるとしても、これに集塵された各種の異物を除去する時には相互間の空間が完全に開放されることによって円滑な除去が可能である。
これにより、集塵筒内に異物が残存することが防止できるので、従来の残存する異物の腐敗による悪臭の発生などを未然に防止することができる。
【図面の簡単な説明】
【図１】  従来の多重サイクロン集塵装置を概略的に示す縦断面図。
【図２】  従来の多重サイクロン集塵装置の外部ボディを分離して示す斜視図。
【図３】  本発明の一形態による多重サイクロン集塵装置を示す要部分解斜視図。
【図４】  本発明の一形態による多重サイクロン集塵装置の結合状態を概略的に示す縦断面図。
【図５】  本発明の他の形態による集塵筒の要部を切開して示す斜視図。
【図６】  図５の集塵筒を平面から見た状態図。
【図７】  図５の集塵筒に集塵した各種の異物の排出時における状態を示す縦断面図。
【図８】  本発明の他の形態による集塵筒を本発明の一形態による多重サイクロン集塵装置に適用させた状態を示す要部分解斜視図。
【図９】  図８の集塵筒が適用された多重サイクロン集塵装置を概略的に示す縦断面図。
【図１０】  本発明による集塵筒の他の実施形態の要部を切開して示す斜視図。
【図１１】  図１０の集塵筒を平面から見た状態図。
【図１２】  図１０の集塵筒が適用された多重サイクロン集塵装置を概略的に示す縦断面図。
【図１３】  図１２の集塵筒に集塵した各種の異物の排出時における状態を示す縦断面図。
【図１】
0004176994.tif 000002
【図２】
0004176994.tif 000003
【図３】
0004176994.tif 000004
【図４】
0004176994.tif 000005
【図５】
0004176994.tif 000006
【図６】
0004176994.tif 000007
【図７】
0004176994.tif 000008
【図８】
0004176994.tif 000009
【図９】
0004176994.tif 000010
【図１０】
0004176994.tif 000011
【図１１】
0004176994.tif 000012
【図１２】
0004176994.tif 000013
【図１３】
0004176994.tif 000014